(57)【要約】【課題】自然に備蓄品の管理をすることができる収納空間を備えた住宅および収納構造を提供すること。【解決手段】居室（１２）と居室（１２）に隣接する非居室（１１）とを有する住宅である。居室（１２）と非居室（１１）との境界部に設けられた収納空間（２）を備え、収納空間（２）は、非居室（１１）側に収納物の投入口（３７）を有し、居室（１２）側に収納物の取出し口（３８）を有する第１収納部を含む。【選択図】図１
2016069796.tif 000002
【特許請求の範囲】
【請求項１】
居室と前記居室に隣接する非居室とを有する住宅であって、
前記居室と前記非居室との境界部に設けられた収納空間を備え、
前記収納空間は、前記非居室側に収納物の投入口を有し、前記居室側に前記収納物の取出し口を有する第１収納部を含む、住宅。
【請求項２】
前記収納空間は、
前記第１収納部と上下方向に隣接して配置され、前記非居室側と前記居室側とを仕切る隔壁部材と、
前記隔壁部材に沿って、前記非居室側に設けられた第２収納部とをさらに含む、請求項１に記載の住宅。
【請求項３】
前記収納空間は、前記隔壁部材に沿って、前記居室側に設けられた第３収納部をさらに含む、請求項２に記載の住宅。
【請求項４】
前記第１収納部は、前記隔壁部材よりも下方に配置される、請求項２または３に記載の住宅。
【請求項５】
前記第１収納部は、前記居室側と前記非居室側との間で前記収納物の移動を案内する移動案内部を有している、請求項１〜４のいずれかに記載の住宅。
【請求項６】
前記収納空間の幅方向両側には、前記住宅を構成する１対の壁部材が配置されている、請求項１〜５のいずれかに記載の住宅。
【請求項７】
前記非居室は、玄関または前記玄関に通じる廊下である、請求項１〜６のいずれかに記載の住宅。
【請求項８】
平行に延びる１対の側壁部材と、
前記側壁部材の間の空間を上下に仕切る仕切り面部材と、
前記仕切り面部材の下方に配置され、一方側に収納物の投入口を有し、他方側に前記収納物の取出し口を有する第１収納部と、
前記仕切り面部材の上方に配置され、前記一方側と前記他方側とを仕切る隔壁部材と、
前記隔壁部材に沿って、前記一方側に設けられた第２収納部と、
前記隔壁部材に沿って、前記他方側に設けられた第３収納部とを備える、収納構造。
【発明の詳細な説明】
【技術分野】
【０００１】
この発明は、住宅および収納構造に関し、特に、非常時用の備蓄品を収納可能な収納空間を有する住宅および収納構造に関する。
【背景技術】
【０００２】
住宅においては、災害時など非常時用の備蓄品（飲食料品）は、居室や非居室に設けられた収納庫に収納される。飲食料品の場合は、キッチンの、例えば、パントリーに収納され、飲食料品以外の防災具の場合は、廊下等の収納庫に収納される。
【０００３】
特開２００７−９８０５２号公報（特許文献１）には、非常食料品や非常用備品等の防災用品を収納することができ、備蓄量や賞味期限を容易に管理可能としたパントリーが開示されている。
【０００４】
他方、収納構造としては、特開２００３−３８２７３号公報（特許文献２）には、間仕切壁としての機能を備えつつ、洗濯室と洗面室の両側から使用することのできる収納部を備えた洗濯物収納装置が開示されている。
【０００５】
さらに、特開平６−３３９４１３号公報（特許文献３）には、台所と食堂の両者で使用するような物品を、台所側と食堂側の両方向に引き出し可能な両面収納家具が開示されている。
【先行技術文献】
【特許文献】
【０００６】
【特許文献１】特開２００７−９８０５２号公報
【特許文献２】特開２００３−３８２７３号公報
【特許文献３】特開平６−３３９４１３号公報
【発明の概要】
【発明が解決しようとする課題】
【０００７】
上記特許文献１に示される非常食等を収納することができるパントリーは、賞味期限管理シールが備え付けられていて、賞味期限等を分かりやすく確認することができる。しかし、このパントリーは、意識的に備蓄品の賞味期限管理をする必要があり、日常的に備蓄品の管理をすることが困難であった。
【０００８】
本発明は、上記のような課題を解決するためになされたものであって、その目的は、自然に備蓄品の管理をすることができる収納空間を備えた住宅および収納構造を提供することである。
【課題を解決するための手段】
【０００９】
この目的のため本発明による住宅は、居室と居室に隣接する非居室とを有する住宅である。居室と非居室との境界部に設けられた収納空間を備え、収納空間は、非居室側に収納物の投入口を有し、居室側に収納物の取出し口を有する第１収納部を含む。
【００１０】
好ましくは、収納空間は、第１収納部と上下方向に隣接して配置され、非居室側と居室側とを仕切る隔壁部材と、隔壁部材に沿って、非居室側に設けられた第２収納部とをさらに含む。
【００１１】
好ましくは、収納空間は、隔壁部材に沿って、居室側に設けられた第３収納部をさらに含む。
【００１２】
あるいは、第１収納部は、隔壁部材よりも下方に配置されていてもよい。
【００１３】
あるいは、第１収納部は、居室側と非居室側との間で前記収納物の移動を案内する移動案内部を有していてもよい。
【００１４】
あるいは、収納空間の幅方向両側には、住宅を構成する１対の壁部材が配置されていてもよい。
【００１５】
好ましくは、非居室は、玄関または玄関に通じる廊下である。
【００１６】
この目的のため本発明による収納構造は、平行に延びる１対の側壁部材と、側壁部材の間の空間を上下に仕切る仕切り面部材と、仕切り面部材の下方に配置され、一方側に収納物の投入口を有し、他方側に収納物の取出し口を有する第１収納部と、仕切り面部材の上方に配置され、一方側と他方側とを仕切る隔壁部材と、隔壁部材に沿って、一方側に設けられた第２収納部と、隔壁部材に沿って、他方側に設けられた第３収納部とを備える。
【発明の効果】
【００１７】
本発明によれば、自然に備蓄品の管理をすることができる収納空間を備えた住宅および収納構造を提供することができる
【図面の簡単な説明】
【００１８】
【図１】本発明の実施の形態１に係る住宅の構成例を示す間取り図である。
【図２】本発明の実施の形態１に係る住宅内に設けられた収納空間を示す斜視図である。
【図３】本発明の実施の形態１に係る住宅内に設けられた収納空間の断面図である。
【図４】本発明の実施の形態１において、第１収納部に設けられる第１収納棚の構成例を示す平面図である。
【図５】本発明の実施の形態１において、第１収納部に設けられる第１収納棚の構成例を示す側面図である。
【図６】本発明の実施の形態１において、第１収納部に設けられる第２収納棚の他の構成例を示す平面図である。
【図７】図６のＶＩＩ−ＶＩＩ線に沿う第２収納棚の断面図である。
【図８】本発明の実施の形態２に係る住宅の構成例を示す間取り図である。
【図９】本発明の実施の形態３に係る収納空間を示す斜視図である。
【図１０】収納空間の第１収納部の他の構成例を示す平面図である。
【発明を実施するための形態】
【００１９】
本発明の実施の形態について図面を参照しながら詳細に説明する。なお、図中同一または相当部分には同一符号を付してその説明は繰り返さない。
【００２０】
（実施の形態１）
図１および図２を参照して、本実施の形態に係る住宅１の概要について説明する。住宅１は、戸建住宅であってもよいし、マンションなど集合住宅内の一住戸であってもよい。
【００２１】
住宅１は、居室１２と非居室１１とを有する。居室１２は、キッチン１２ａ、ダイニング１２ｂおよびリビング１２ｃを含む。非居室１１は、玄関１１ａおよび玄関１１ａに通じる廊下１１ｂを含む。本実施の形態では、廊下１１ｂとダイニング１２ｂとが互いに隣接して配置されており、収納空間２がこれらの境界部に設けられている。具体的には、廊下１１ｂとダイニング１２ｂとは、住宅１の壁１３によって仕切られており、収納空間２は、壁１３を貫通するように設けられている。
【００２２】
以下の説明において、住宅１の壁１３に沿う方向を「幅方向」、住宅の壁１３を貫通する方向を「奥行き方向」という。図２の矢印Ａ１は、幅方向を示し、矢印Ａ２は、奥行き方向を示している。
【００２３】
図１および図２に示されるように、収納空間２の幅方向両側には、１対の壁部材８が互いに平行に配置されている。つまり、収納空間２は、一対の壁部材８の間の空間である。壁部材８は、住宅の壁１３に直交しており、住宅１を構成する壁であることが望ましい。収納空間２は、ダイニング１２ｂ側に張り出している。そのため壁部材８は、ダイニング１２ｂ側に配置されている。
【００２４】
収納空間２は、例えば、幅Ｌ１が１Ｐ、奥行きＬ２が１Ｐである。幅Ｌ１は、０．５Ｐ〜２Ｐの範囲内であれば、１Ｐでなくてもよい。奥行きＬ２は、１Ｐよりも小さくてもよい。収納空間２の高さＬ３は２０００ｍｍ以上であることが望ましい。ここで、１Ｐは、建物の設計上の１モジュールを表しており、９１０ｍｍまたは１０００ｍｍである。収納空間２の奥行き方向両端部、すなわち、廊下１１ｂおよびダイニング１２ｂに面する部分には、収納空間２を閉鎖可能にするための扉２１がそれぞれ設けられることが望ましい。
【００２５】
次に、図３をさらに参照して、収納空間２の構造例について説明する。なお、図２では、収納構造の理解を容易にするために、壁部材８により隠される部分も実線で示している。
【００２６】
収納空間２は、仕切り面部材７と、隔壁部材６と、第１収納部３と、第２収納部４と、第３収納部５とを含む。仕切り面部材７は、収納空間２を上下に仕切る部材である。仕切り面部材７は、床面から６００ｍｍ以上の高さに設けられていることが望ましい。隔壁部材６は、仕切り面部材７の上方において、廊下１１ｂ側とダイニング１２ｂ側とを仕切るように、住宅１の壁１３と平行に設けられる。
【００２７】
第１収納部３は、仕切り面部材７の下方に配置され、廊下１１ｂ側に収納物の投入口３７を有し、ダイニング１２ｂ側に収納物の取出し口３８を有する。つまり、廊下１１ｂから第１収納部３に収納物を投入し、ダイニング１２ｂから第１収納部３内の収納物を取り出すことができる。なお、投入口３７および取出し口３８は、いずれも収納物を出し入れ可能な開口部である。そのため、実際には、投入口３７から収納物を取り出したり、取出し口３８に収納物を投入することもできる。
【００２８】
第１収納部３は、廊下１１ｂ側とダイニング１２ｂ側との両方向に移動可能な移動案内部を備えることが望ましい。移動案内部は、例えば、引き出しタイプの第１収納棚３０と、第１収納棚３０の下方に配置される車輪付きの第２収納棚９０とを含む。第１収納棚３０と第２収納棚９０には、例えば、収納物である備蓄品３６，９６がそれぞれ収納される。備蓄品３６，９６は、日用品としても使用され、賞味期限や消費期限の管理、数量管理を必要とするものであって、典型的には飲食料品である。第１収納棚３０と第２収納棚９０については、後述する。
【００２９】
第２収納部４は、仕切り面部材７の上方に配置され、隔壁部材６に沿って廊下１１ｂ側に設けられる。そのため、第２収納部４へは、廊下１１ｂから収納物の出し入れを行うことができる。第２収納部４は、例えば、壁部材８間に設けられたハンガーパイプ４２と、ハンガーパイプ４２の上方に設けられた棚板４１とを有している。ハンガーパイプ４２には、外着用の上着等の衣類４３が吊り下げられる。そのため、居住者は、第２収納部４を頻繁に利用することができる。なお、棚板４１上は、手が届きにくい収納スペースであるが、例えば、５月人形など年に一度使用するようなものの収納に利用することができる。
【００３０】
さらに、第２収納部４の下端に位置する仕切り面部材７の上面には、例えば、防災用のヘルメットや防災着などの防災グッズ４４が収納されてもよい。これにより、取出しにくい場所に収納されがちな防災グッズ４４の収納スペースを、災害時にすぐに取り出せる箇所に確保することができる。
【００３１】
第３収納部５は、仕切り面部材７の上方に配置され、隔壁部材６に沿って、ダイニング１２ｂ側に設けられる。そのため、第３収納部５へは、ダイニング１２ｂ側から収納物の出し入れを行うことができる。第３収納部５は、例えば、複数の棚板５１が設けられ、ダイニング１２ｂで日常的に使用する小物類５２が収納される。
【００３２】
なお、隔壁部材６は、収納空間２の奥行き方向中央部よりもダイニング１２ｂ寄りに設けられ、第２収納部４の奥行き寸法と第３収納部５の奥行き寸法が、およそ２：１の割合となるように配置されることが望ましい。この場合、棚板４１は、奥行きが５８０〜６００ｍｍであることが望ましい。棚板５１の奥行きは、１５０ｍｍ程度であることが望ましい。これにより、棚板５１上に収納している物をひと目で把握することができる。
【００３３】
ここで、第１収納部３に備えられる第１収納棚３０と第２収納棚９０について説明する。
【００３４】
図２〜５を参照して、第１収納棚３０は、主に、底面板３２と、底面板３２の両側端に設けられた１対の側面板３１とから構成される。底面板３２上には、軽量なもの、例えば、保存食、衛生用品、医薬品などの賞味期限や消費期限の管理を必要とする備蓄品３６を収納することができる。第１収納棚３０は、奥行き方向両側にスライド移動可能となるように一対の壁部材８に取り付けられている。本実施の形態では、例えば、第１収納棚３０の各側面板３１に、奥行き方向に沿って、両端縁にまで延びる溝部３３が設けられ、各壁部材８には、奥行き方向に沿って、両端縁にまで延びる凸部８１が設けられている。第１収納棚３０の溝部３３と壁部材８の凸部８１とが嵌合することにより、第１収納棚３０は、ダイニング１２ｂ側および廊下１１ｂ側の両方向にスライド移動可能となる。
【００３５】
第１収納棚３０の奥行き方向両端部には、備蓄品３６の転げ落ちを防止するために、転落防止部材３４が設けられる。転落防止部材３４は、例えば、逆Ｕ字状の棒部材によって形成されており、幅方向に延びる横棒部と横棒部の両端縁から下方に延びる一対の縦棒部を有している。
【００３６】
なお、転落防止部材３４は、必要な箇所にのみ設けられてもよい。この場合、底面板３２の奥行き方向両端部には、幅方向に沿って、間隔をあけて複数の穴３５が設けられており、所望の２つの穴３５に所定幅の転落防止部材３４の一対の縦棒部を挿入可能としてもよい。図４の例では、廊下１１ｂ側の端部に転落防止部材３４が設置されてあるため、ダイニング１２ｂ側へ第１収納棚３０をスライドさせた場合に、備蓄品３６が廊下１１ｂ側へ転げ落ちるのを防止することができる。
【００３７】
なお、第１収納棚３０は、例えば、両方向に約３００〜９００ｍｍずつ引き出せることが望ましい。これにより、備蓄品３６を投入および取り出ししやすく、備蓄品３６をたっぷり収納することができる。
【００３８】
図２および図３を参照して、第２収納棚９０は、主に、底面板９２と、底面板９２の両側端に設けられた１対の側面板９１とから構成される。底面板９２上には、重量物で底面積をとるもの、例えば、飲料水などの賞味期限の管理を必要とする備蓄品９６を収納することができる。第２収納棚９０は、例えば、２リットルのペットボトルを２０〜３０本収納することが可能である。
【００３９】
本実施の形態では、第２収納棚９０もまた、奥行き方向両側にスライド移動可能となるように、第２収納棚９０の底面板９２の裏面には、４つの車輪９３が取り付けられている。これにより、第２収納棚９０は、廊下１１ｂ側およびダイニング１２ｂ側の両方向にスライド移動可能となる。また、この場合、第２収納棚９０の奥行き方向両端部には、備蓄品９６の転落防止のために転落防止部材９４が設けられる。転落防止部材９４は、直線状の棒部材によって形成され、一対の側面板９１間に掛け渡される。なお、車輪９３は、キャスタであってもよい。
【００４０】
次に、第１収納部３の使用方法について説明する。
【００４１】
例えば、住居者は、お店などで買ってきた備蓄品を玄関１１ａから運び込み、廊下１１ｂ側から第１収納部３に収納する。具体的には、第１収納棚３０を廊下１１ｂ側に引き出し、保存食等の軽量な備蓄品３６は、投入口３７から第１収納棚３０に収納される。同様に、飲料水等の重量のある備蓄品９６は、第２収納棚９０に収納される。
【００４２】
これにより、図４に示されるように、投入口３７側の備蓄品３６ａは、賞味期限が比較的新しく、取出し口３８側の備蓄品３６ｂは、賞味期限の比較的古いものが整列する。第２収納棚９０についても同様である。したがって、使用者が意図的に備蓄品３６，９６の期限管理をしようとしなくても、自然と期限管理ができる仕組みとなり、備蓄品３６，９６の期限管理をストレスなく行うことができる。
【００４３】
さらに、備蓄品３６，９６は、防災用の備蓄品であるとともに、日常的に消費するものであるため、ダイニング１２ｂ側の取出し口３８から取り出すことで、自然と賞味期限の古いものから消費することができる。また、収納空間２は、廊下１１ｂに面しているため、買ってきた備蓄品３６，９６をわざわざダイニング１２ｂに運び込まなくてもよい。そのため、重量のある飲食品であっても、容易に収納することができる。また、仕切り面部材７の下方に設けられているため、重量物であっても上方に持ち上げずに収納できる。また、第１収納部３が、日常使用する衣類４３や小物類５２の収納部の下に配置されているため、日常生活に自然と備蓄習慣を取り入れることができる。
【００４４】
また、投入口３７からも備蓄品３６，９６を取り出すことができるため、災害時、廊下１１ｂしか使用できない事態に陥っても備蓄品３６，９６を廊下１１ｂ側から使用することができる。
【００４５】
なお、第１収納部３の収納棚は、収納物を移動可能にするためのものであればよく、それ自体が移動可能でなくてもよい。具体的には、第１収納部３は、例えば、上記第２収納棚９０に代えて、図６，７に示すような第２収納棚９０Ａを有していてもよい。
【００４６】
図６は、第２収納棚９０Ａの平面図であり、図７は、図６のＶＩＩ−ＶＩＩ線に沿う第２収納棚９０Ａの断面図である。図６および図７を参照して、第２収納棚９０Ａは、底面板９２上に配置される複数のローラー９５を備えている。各ローラー９５は、回転軸が幅方向に沿うように配置されている。これにより、第２収納棚９０Ａは、底面板９２の裏面に車輪９３を有していなくても、ローラー９５の回転により重量のある飲料水などの備蓄品９６を、容易に廊下１１ｂ側からダイニング１２ｂ側へ押し出すことが可能である。あるいは、ローラー９５を設けずに、底面板９２の上面に滑りやすい表面材を設けてもよい。
【００４７】
また、本実施の形態では、収納空間２を廊下１１ｂとダイニング１２ｂとの境界部に設けたが、このような例に限定されない。ただし、収納空間２の第１収納部３の取出し口３８は、キッチン１２ａまたはダイニング１２ｂ側に設けられていることが望ましい。
【００４８】
住宅１の他の構成例を、実施の形態２として以下に説明する。
【００４９】
（実施の形態２）
図８を参照して、本実施の形態に係る住宅１Ａの構成例について説明する。以下に実施の形態１に示した住宅１との相違点のみ詳細に説明する。
【００５０】
住宅１Ａでは、居室１２であるキッチン１２ａと非居室１１である玄関１１ａとが互いに隣接して配置されている。住宅１Ａの収納空間２は、キッチン１２ａと玄関１１ａとの境界部であって、キッチン１２ａのコーナー部に設けられる。キッチン１２ａのコーナー部は、壁１３ａとこれに直交する壁１３ｂとによって形成されている。収納空間２は、壁１３ｂを貫通するように設けられている。この場合、例えば、収納空間２の幅方向一方側の壁部材８は、住宅１Ａの壁１３ａの一部であってもよい。
【００５１】
このように、収納空間２が、キッチン１２ａと玄関１１ａとの境界部に設けられることにより、靴を脱がずに玄関１１ａから収納空間２へ備蓄品３６，９６や衣類４３を収納することができる。
【００５２】
（実施の形態３）
図９を参照して、実施の形態３における収納空間２Ａの構造例について説明する。以下に実施の形態１の収納空間２との相違点のみ詳細に説明する。
【００５３】
収納空間２Ａは、非居室１１側に収納物の投入口３７を有し、居室１２側に収納物の取出し口３８を有する第１収納部３Ａのみを備える。つまり、非居室１１から収納空間２Ａに投入した収納物をすべて居室１２側から取り出すことができる。第１収納部３Ａは、収納空間２Ａを上下に隔てる仕切り面部材１０７と、仕切り面部材１０７の下方に配置される下側収納部３ａと仕切り面部材１０７の上方に配置される上側収納部３ｂとを含む。
【００５４】
下側収納部３ａは、上述の第１収納部３と同様の構成であってもよい。収納空間２Ａの上側収納部３ｂは、例えば、一方の壁部材８ａに固定された複数の棚板１５１と、壁部材８ｂに設けられた棚板１４１と、棚板１４１の下方に壁部材８ｂに直行して設けられたハンガーパイプ１４２とを有している。これにより多くの備蓄品を２Ａに収納することもできる。
【００５５】
なお、上記実施の形態１〜３では、収納空間の第１収納部は、奥行き方向に貫通することとしたが、投入口３７が非居室１１側にあり、取出し口３８が居室１２側にあれば、このような例に限定されない。
【００５６】
図１０は、収納空間２の第１収納部３Ｂの他の構成例を示す平面図である。図１０を参照して、１対の壁部材８ｃは、住宅の壁１３と平行に配置されている。一方の壁部材８ｃは、壁１３よりも非居室１１に配置され、他方の壁部材８ｃは、壁１３よりも居室１２に配置される。第１収納部３Ｂは、少なくとも一方向に回転可能な収納棚９０Ｂを有している。収納棚９０Ｂは、平面視円形形状の底面板９７と、底面板９７の中央に取り付けられる回転軸９８とを有する。底面板９７は、回転軸９８を支点に回転する。このような構成であっても、非居室１１側に形成された投入口３７から備蓄品９６ａを投入し、底面板９７を矢印方向（一方向）に回転させて、居室１２側に形成された取出し口３８から備蓄品９６ａを取り出すことができる。なお、災害時には、矢印方向と反対方向にも回転させて使用してもよい。
【００５７】
なお、実施の形態１，２に示した隔壁部材６は、住宅１の壁として構成されてもよい。特に、そのよう場合には、隔壁部材６と、居室１２と非居室１１とを隔てる壁１３とは、一体的に形成されていてもよい。
【００５８】
また、第１収納部３は、移動案内部として２段の収納棚３０，９０を備えるとしたが、いずれか一方であってもよいし、３段以上であっても構わない。また、同一段に、複数の収納棚を幅方向に並べて配置してもよい。あるいは、移動案内部は、居室側と非居室側との間で収納物を案内さえできればよく、収納棚でなくてもよい。
【００５９】
また、上記実施の形態１，２では、第１収納部３を第２収納部４および第３収納部５の下方に配置したが、第２収納部４および第３収納部５の上方に配置させてもよい。
【００６０】
また、上記実施の形態１，２では、収納空間は、第１収納部３、第２収納部４および第３収納部５を備えるとしたが、少なくとも第１収納部を備えていれば、第２収納部４または第３収納部５を備えなくてもよい。
【００６１】
また、居室１２と隣接する非居室１１は、勝手口や勝手口に通じる廊下を含んでもよい。また、複数階建て住宅の上階（２階以上）にキッチンやダイニングが配置されるような場合、非居室１１は、階段に通じる廊下であってもよい。
【００６２】
なお、上記各実施の形態では、収納空間２は、住宅に組み込まれるものとしたが、その収納構造をユニット化し、収納庫として提供してもよい。その際、上記した１対の壁部材８は、収納庫の側壁部材として、収納構造に組み込まれる。
【００６３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６４】
１  住宅、２  収納空間、３  第１収納部、４  第２収納部、５  第３収納部、６  隔壁部材、７  仕切り面部材、８  壁部材（側壁）、１１  非居室、１１ａ  玄関、１１ｂ  廊下、１２  居室、１２ａ  キッチン、１２ｂ  ダイニング、１２ｃ  リビング、１３  壁、２１  扉、３０  第１収納棚、３１  側面板、３２  底面板、３３  溝部、３４  転落防止部材、３５  穴、３６  備蓄品、３７  投入口、３８  取出し口、５２  凸部、４１  棚板、４２  ハンガーパイプ、４３  衣類、４４  防災グッズ、５１  棚板、５２  小物類、７１  棚板、８１  凸部、９０  第２収納棚、９１  側面板、９２  底面板、９３  車輪、９４  転落防止部材、９５  ローラー、９６  備蓄品、９７  底面板、９８回転軸。
【図１】
2016069796.tif 000003
【図２】
2016069796.tif 000004
【図３】
2016069796.tif 000005
【図４】
2016069796.tif 000006
【図５】
2016069796.tif 000007
【図６】
2016069796.tif 000008
【図７】
2016069796.tif 000009
【図８】
2016069796.tif 000010
【図９】
2016069796.tif 000011
【図１０】
2016069796.tif 000012